(57)【特許請求の範囲】
【請求項１】
操作位置に応じて電圧若しくは電流のレベルが連続的に変化する電気信号を発生する操作部と、該操作部からの信号を受けて照明負荷の動作にかかる動作時間や動作開始の照度の設定値の変更を検出する変更手段、及び設定値に基づいて照明負荷を制御する制御手段からなる制御部とを少なくとも備えるとともに、操作部の操作によって変更される複数の設定値が異なる動作モードを有し、変更手段は電気信号の状態によって動作モードの変更があったことを検出すれば報知手段を所定時間動作させることを特徴とする照明装置。
【請求項２】
変更手段は上記電気信号のレベルが所定値以上であれば動作モードの変更があったことを検出することを特徴とする請求項１記載の照明装置。
【請求項３】
変更手段は上記電気信号のレベルが所定値以下であれば動作モードの変更があったことを検出することを特徴とする請求項１記載の照明装置。
【請求項４】
変更手段は上記電気信号のレベルが所定値範囲内にあれば動作モードの変更があったことを検出することを特徴とする請求項１記載の照明装置。
【請求項５】
変更手段は上記電気信号のレベルの時間微分の絶対値が所定レベル以上となれば動作モードの変更があったことを検出することを特徴とする請求項１記載の照明装置。
【請求項６】
報知手段は、照明負荷以外に付設した表示用のランプの動作によって報知することを特徴とする請求項１乃至５の何れか記載の照明装置。
【請求項７】
報知手段は、照明負荷の動作によって報知することを特徴とする請求項１乃至５の何れか記載の照明装置。
【請求項８】
報知手段は、複数の照明負荷の少なくとも何れか一方の動作によって報知することを特徴とする請求項１乃至５の何れか記載の照明装置。
【請求項９】
変更手段は報知手段による報知を、変更前の状態下で開始させ、報知が終了した時点で次の変更状態へ移行することを特徴とする請求項１乃至８の何れか記載の照明装置。
【請求項１０】
変更手段は報知手段による報知を、変更前の状態を終了させ、次の変更状態へ移行した時点で開始させることを特徴とする請求項１乃至８の何れか記載の照明装置。
【請求項１１】
変更手段は報知手段による報知を、変更前の状態を終了させた時点から開始させ、次の変更状態へ移行する迄の間で行なうことを特徴とする請求項１乃至８の何れか記載の照明装置。
【請求項１２】
変更手段は報知手段による報知を、変更前の状態下で開始し、次の変更状態に移行してから終了することを特徴とする請求項１乃至８の何れか記載の照明装置。
【請求項１３】
操作部は照明負荷の動作モードの変更と設定値の設定を行なう機能を兼用していることを特徴とする請求項１乃至１２の何れか記載の照明装置。
【請求項１４】
照明負荷の動作モードの変更に対応する報知期間中に設定値の設定信号が操作部から制御手段へ入力することを特徴とする請求項１３記載の照明装置。
【請求項１５】
照明負荷の動作モードの変更に対応する報知終了時に設定値の設定信号が操作部から制御手段へ入力することを特徴とする請求項１３記載の照明装置。
【発明の詳細な説明】
【０００１】
【発明の属する技術分野】
本発明は、照明装置に関するものである。
【０００２】
【従来の技術】
従来の照明装置では動作モードの変更操作をユーザーに報知するために、操作スイッチが操作されるとアンサーバック音でユーザーに操作が受け付けられたことを報知する手段、或いは操作スイッチが操作されると、照明負荷の点灯状態が変化してユーザーに操作が受け付けられたことを報知する手段、更には押し操作されると押し操作状態が保持される押釦スイッチで操作スイッチを構成して押し操作状態により操作状態をユーザーに報知する手段、また更には可変抵抗器を操作スイッチの操作手段として用い、可変抵抗器の回転に応じて報知音の音量を変化させて操作状態をユーザーに報知する手段、或いはタイマ動作に伴ってカウントダウンの状態を表示してユーザーにタイマ動作状態を報知する手段等が設けられているものがある。
【０００３】
これらの手段は、変更操作と同時に、変更操作が受け付けられたことをユーザーが即認識できるようにしたものであるが、動作時間等の設定値の変更操作を行うような場合には、照明負荷の状態の変化が即、起こらず、ユーザーは設定操作に不安を感じることになる。
【０００４】
【発明が解決しようとする課題】
上記の設定値の変更は一般的には可変抵抗器により行なうものが多い。可変抵抗器は線形的に設定値を変化させることができるため、設定値を複数設定できる上に、配線も容易なので使用しやすいという特徴がある。
また可変抵抗器を操作する同時に照明負荷が点灯／消灯したり、電源の入／切等が行なわれるものであれば、ユーザーが認識し易い。しかし設定した時、負荷状態が変わらない場合、例えば数時間後に起きる動作のための時間設定や、設定照度にならないと動作を確認することができない設定値の設定変更操作では、確実に設定が行なわれているのか、否かがユーザーに取って不安である。
【０００５】
例えば照度センサ部を搭載したポーチライトのような器具において、可変抵抗器を操作して動作時間の設定値を変更するような場合、可変抵抗器を操作した時には何の変化も生じないため、ユーザーは設定の変更が為されたのか否かが不安になる。
尚照明装置で遠隔操作を行なうものとしては特開昭６０−５０８８９号に示されるようなものがある。
【０００６】
本発明は、上述の問題点に鑑みて為されたもので、その目的とするところは、操作部の操作によって設定値の変更が為されたときに、ユーザーに変更操作があったことを報知することができる照明装置を提供するにある。
【０００７】
【課題を解決するための手段】
上述の目的を達成するために、請求項１の発明では、操作位置に応じて電圧若しくは電流のレベルが連続的に変化する電気信号を発生する操作部と、該操作部からの信号を受けて照明負荷の動作にかかる動作時間や動作開始の照度の設定値の変更を検出する変更手段、及び設定値に基づいて照明負荷を制御する制御手段からなる制御部とを少なくとも備えるとともに、操作部の操作によって変更される複数の設定値が異なる動作モードを有し、変更手段は電気信号の状態によって動作モードの変更があったことを検出すれば報知手段を所定時間動作させることを特徴とする。
【０００８】
請求項２の発明では、請求項１の発明において、変更手段は上記電気信号のレベルが所定値以上であれば動作モードの変更があったことを検出することを特徴とする。
請求項３の発明では、請求項１の発明において、変更手段は上記電気信号のレベルが所定値以下であれば動作モードの変更があったことを検出することを特徴とする。
【０００９】
請求項４の発明では、請求項１の発明において、変更手段は上記電気信号のレベルが所定値範囲内にあれば動作モードの変更があったことを検出することを特徴とする。
請求項５の発明では、請求項１の発明において、変更手段は上記電気信号のレベルの時間微分の絶対値が所定レベル以上となれば動作モードの変更があったことを検出することを特徴とする。
【００１０】
請求項６の発明では、請求項１乃至５の何れか記載の発明において、報知手段は、照明負荷以外に付設した表示用のランプの動作によって報知することを特徴とする。
【００１１】
請求項７の発明では、請求項１乃至５の何れか記載の発明において、報知手段は、照明負荷の動作によって報知することを特徴とする。
【００１２】
請求項８の発明では、請求項１乃至５の何れか記載の発明において、報知手段は、複数の照明負荷の少なくとも何れか一方の動作によって報知することを特徴とする。
請求項９の発明では、請求項１乃至８の何れか記載の発明において、変更手段は報知手段による報知を、変更前の状態下で開始させ、報知が終了した時点で次の変更状態へ移行することを特徴とする。
【００１３】
請求項１０の発明では、請求項１乃至８の何れか記載の発明において、変更手段は報知手段による報知を、変更前の状態を終了させ、次の変更状態へ移行した時点で開始させることを特徴とする。
請求項１１の発明では、請求項１乃至８の何れか記載の発明において、変更手段は報知手段による報知を、変更前の状態を終了させた時点から開始させ、次の変更状態へ移行する迄の間で行なうことを特徴とする。
【００１４】
請求項１２の発明では、請求項１乃至８の何れか記載の発明において、変更手段は報知手段による報知を、変更前の状態下で開始し、次の変更状態に移行してから終了することを特徴とする。
請求項１３の発明では、請求項１乃至１２の何れか記載の発明において、操作部は照明負荷の動作モードの変更と設定値の設定を行なう機能を兼用していることを特徴とする。
【００１５】
請求項１４の発明では、請求項１３の発明において、照明負荷の動作モードの変更に対応する報知期間中に設定値の設定信号が操作部から制御手段へ入力することを特徴とする。
請求項１５の発明では、請求項１３の発明において、照明負荷の動作モードの変更に対応する放置終了時に設定値の設定信号が操作部から制御手段へ入力することを特徴とする。
【００１６】
【発明の実施の形態】
以下、本発明を実施形態により説明する。
（実施形態１）
図１は本実施形態の構成を示しており、本実施形態の照明装置は、玄関ポーチライトのような照明装置を構成するもので、例えば白熱ランプのような照明負荷１と、所定の検知エリアに人が存在するか否かを検知するための人感センサ（人感センサ）２と、外光の明るさレベルを検出する光センサ３ａと増幅器３ｂとからなる照度センサ部３と、動作モードや設定値の変更操作を行うための操作部４と、照明負荷１の調光、点灯／消灯等の制御を行なう負荷制御部５と、操作部４の操作によって設定される動作モードによって、上記人感センサ２の検知信号や、照度センサ部３の検知信号に基づいて負荷制御部５に照明負荷１の点灯制御のための負荷制御信号を出力する変更手段と制御手段とを兼ねた制御部６と、制御部６により制御される報知手段たるＬＥＤ７とを主構成要素として備えている。
【００１７】
本実施形態の照明装置は、複数の動作モードが設定されるようになっており、例えば一日のある一定時間、照明負荷１を調光点灯させる「お出迎えモード」と強制的に照明負荷１を点灯させる「強制点灯モード」等を含めて複数の動作モードが設定できるようになっている。このモード変更と同時に夫々のモードに応じた動作時間や動作開始の照度等の設定値がモードに対応するように設定される。
【００１８】
操作部４は、回転角度に対応して抵抗値変換がリニアに変化する可変抵抗器を操作スイッチとして用い、可変抵抗器の回転操作により可変される電圧（若しくは電流）信号を制御部６に送るようになっている。
制御部６は送られてくる電圧（電流）信号のレベルによって動作モードの変更や動作モードに対応した点灯保持時間設定や点灯開始照度設定、調光点灯時間設定等を行なう機能及び、これら動作モードの変更や時間設定或いは照度設定等の設定値の変更があれば、ＬＥＤ７を所定時間点滅させて、これらの変更を報知させる機能を備えている。尚制御部６は時間制御のためのタイマ回路６０を内蔵している。
【００１９】
上記の点灯保持時間は、人感センサ２が検知した時に照明負荷１を点灯させる動作モードにおいて、人感センサ２が人の検知が無くなってから点灯状態を保持する時間であり、点灯開始照度は、照度センサ部３が検知する周囲照度が一定レベル以下に下がったときに照明負荷１を点灯させるモードにおいて、照明負荷１の点灯を開始させる照度であり、調光点灯時間は一日のある一定時間照明負荷１を調光点灯させる「お出迎えモード」における調光点灯時間であり、これらは上記操作部４の操作により調整設定することができるようになっている。
【００２０】
而して本実施形態についてあるモード変更と、設定値変更について図２及び図３を用いて説明する。
操作部４の可変抵抗器を回転させ、その操作部４から制御部６へ入力させる電圧信号のレベルが０Ｖから１．０Ｖの範囲において変化する場合において、図２に示すように０Ｖ〜０．２Ｖ未満をある動作モード（Ａモード）の範囲と、０．２Ｖ〜１０Ｖをある動作モード（Ｂモード）の範囲とし、動作モードの変更のしきい値電圧を０．２Ｖとしている場合、操作部４の可変抵抗器が回転操作されて制御部６に入力する電圧信号のレベルが０．２Ｖ以上になると、制御部６はこれを検知して動作モードをＡモードを図３（ａ）に示すように終了するとともに、図３（ｂ）のように内蔵タイマ回路６０の働きにより、ＬＥＤ７を例えば６０Ｈｚであれば、１．２秒周期で４：６の点滅を３０秒間、図３（ｃ）に示すように継続させる。この期間が動作モードや設定値の変更を報知する期間（設定変更モードＣの動作）となる。そしてこの期間が終了すると制御部６は動作モードをＢモードに設定するとともに、Ｂモードでの時間或いは照度等の設定値の変更を行なう。
【００２１】
ここでこのＢモードを上述の「お出迎えモード」とした場合、「お出迎えモード」では調光点灯時間の設定値を更に調整することができるようになっており、例えば０．２Ｖ〜０．３Ｖでは８時間、０．３Ｖ〜０．９Ｖでは８時間〜１５時間（線形的に増加）、０．９Ｖ以上では１５時間以上というように時間調整が行なえる。
【００２２】
尚上記の動作説明では、電圧信号のレベルがしきい値を越えたときに、ＬＥＤ７を一定時間点滅させて報知するようにしているが、逆に電圧信号のレベルがしきい値を下回った場合にもＬＥＤ７を一定時間点滅させて報知するようにしてもよい。また電圧信号の代わりに電流信号を用いても勿論よい。
（実施形態２）
上記実施形態１では、電圧信号のレベルが一つの所定のしきい値を越えたとき或いはしきい値より下回った時に変更の報知を行なうようになっているが、点滅報知するしきい値を複数設定して、これらしきい値を越える時或いは下回った時にＬＥＤ７による点滅表示で報知するようにしたのが本実施形態である。
【００２３】
尚回路構成は実施形態１と同じ構成であるから、本実施形態の特徴である制御部６の動作のみについて説明する。
本実施形態では図４に示すように例えば電圧信号を０．２Ｖ以下、０．２Ｖ〜０．３５Ｖの範囲、０．３５Ｖ〜０．６５Ｖの範囲、０．６５Ｖ〜０．８Ｖの範囲、０．８Ｖ以上という５つのレベルＬ1 〜Ｌ5 を設定し、夫々の範囲の境界レベルをしきい値▲１▼〜レベル▲４▼としたもので、これらのしきい値を越えて所定の範囲内にあるとき（或いは下回ったとき）に制御部６は実施形態１と同様に図５（ｂ）に示すようにＬＥＤ７を一定時間点滅動作させて動作モードの変更或いは設定変更があったことを知らせる期間（設定変更モードＣ）を設定する。ここでＡモードとは或るしきい値以下の電圧信号で設定されるモード、Ｂモードは或るしきい値を越えた電圧信号で設定されるモードを示す。
【００２４】
図６は操作部４の可変抵抗器の摘子４ａとその回転位置による操作部４より制御部６に入力される電圧信号のレベルの関係を示した想定図である。
ところで操作部４では可変抵抗器の回転操作で電圧信号を変化させるため、例えば０．３５Ｖ〜0.６５Ｖを瞬間的に通り過ぎてしまう場合があるので、ＬＥＤ７を５Ｈｚで４：６の点滅動作を３回等、一瞬の動作で報知するとする。
【００２５】
（実施形態３）
上記実施形態１、２では、操作部４の可変抵抗器の回転操作によって制御部６へ送る電圧（或いは電流）信号のレベルを変化させ、このレベルとしきい値とを比較することによって動作モードの変更や設定値の変更を行なうようにしているが、本実施形態では、例えば電圧信号の変化の傾き、つまり操作部４からの信号入力の時間微分（傾き）と予め設定してある設定値との比較により変更の判定を行なうようにしたものである。尚回路構成は実施形態１の図１の回路構成を用いるためここでは特に図示しない。
【００２６】
而して例えば操作部４の可変抵抗器に回転操作により電圧信号のレベルが０Ｖから1.0 までの変化を１秒間で行なうことを上記設定値（図７の（イ））とすると、この設定値より早く電圧信号が変化したときに、例えば電圧レベルを０Ｖから１．0 Ｖまでを０．５秒で変化させる（図７の（ロ））操作が為されると、制御部６は変更があったと判断してＬＥＤ７を上記実施形態１，２と同様に点滅させて、動作モードの変更や設定値の変更があったことを報知する。
【００２７】
尚図７の（ハ）は０Ｖから１．０Ｖまでの変化を１．０秒より長い時間で変化させた操作を示しており、この場合制御部６は変更があったとは判断しない。
尚上記各実施形態１〜３ではＬＥＤ７の点滅によって動作モードや設定値の変更を報知するようにしていたが、以下のように報知するようにしても良い。
（１）例えば、ＬＥＤ７を点灯させることで報知する方法。
【００２８】
（２）照明負荷１を点灯させている時に、同時にＬＥＤ７も点灯させるという制御をおこなっている場合には、制御部６が操作部４の操作により変更があったと判断した時に、照明負荷１の点灯状態はそのままの状態とし、ＬＥＤ７を消灯させ、この消灯により変更を報知する方法。
（３）変更報知（設定変更モードＣ）をおこなう前に照明負荷１が消灯していたら、設定変更モードＣの開始した時点で照明負荷１を点灯させ、逆に変更報知（設定変更モードＣ）を行なう前に照明負荷１が点灯していたら、設定変更モードＣの開始した時点で照明負荷１を消灯させて報知する方法。
【００２９】
（４）変更報知（設定変更モードＣ）を行なう前に照明負荷１が点灯若しくは、消灯していたら、設定変更モードＣを開始した時点で照明負荷１を調光させる方法。
（５）設定変更モードＣの開始した時点で照明負荷１を点滅させる方法。（例えば６０Ｈｚであれば、１．２秒周期で４：６の点滅等）
なお照明負荷１の動作は、ＬＥＤ７の動作、つまりＬＥＤ７の点灯、ＬＥＤ７の点滅、ＬＥＤ７の消灯の各動作と連動させてもよい。（但し、通常時の組合せにない組合せで使用。通常、照明負荷１の点灯時にＬＥＤ７も点灯を行なう場合、この組合せでの報知は省く。）
（６）また複数の照明負荷１を制御する場合、少なくとも一つの照明負荷を使用して報知をおこなう。
【００３０】
例えば白熱灯で照明負荷１が構成されている照明器具では、そのうち一つの白熱灯を上記のように動作させる。
同様に蛍光灯で照明負荷１が構成されている照明器具では、そのうち一つの蛍光灯を上記のように動作させる。
また白熱灯、蛍光灯で照明負荷１が構成されている照明器具では、白熱灯からなる照明負荷１で上記の動作をさせる。
【００３１】
また、上記の照明負荷１による報知動作は、併設するＬＥＤ７の動作、つまりＬＥＤ７の点灯、ＬＥＤ７の点滅、ＬＥＤ７の消灯の各動作と連動させてもよい。（但し、通常時の組合せにない組合せで使用。通常、照明負荷１の点灯時にＬＥＤ７も点灯をおこなう場合、この組合せでの報知は省く。）
上記実施形態１乃至３では、モード変更報知（設定変更モードＣ）は、図３に示すようにあるモード（Ａモード）を終了し、変更するモード（Ｂモード）を開始するまでの間に行なうようにしているが、以下の実施形態４乃至５のような変更報知を行なうようにしても良い。尚これら実施形態４乃至５は実施形態１の回路構成を用いるものとする。
【００３２】
（実施形態４）
本実施形態では、Ａモード中に操作部４の可変抵抗器の操作によって制御部６へ入力する電圧（電流）信号のレベルがしきい値を越えたとき、図８に示すように制御部６はこの時点で例えばＬＥＤ７を点滅させるモード変更報知（設定変更モードＣ）の動作を行なう。このとき照明負荷１の動作モードはＡモードのままとし、設定変更モードＣが完了した時点でＢモードの動作モードヘ移行する。例えば、「お出迎えモード」の設定が無いモード（Ａモード）から設定がある状態のモード（Ｂモード）へ移行する場合、Ａモード中に設定変更モードＣの制御を行ない、５秒程度でＢモードヘ移行する。
【００３３】
（実施形態５）
本実施形態ではＡモード中に操作部４の可変抵抗器の操作によって制御部６へ入力する電圧（電流）信号のレベルがしきい値を越えたとき、図９に示すようにその時点でＡモードを終了し、設定変更モードＣによるモード変更報知を行なうと同時に、Ｂモードヘ移行する。
【００３４】
例えば、「お出迎えモード」（Ａモード）から異なる別の動作モード（Ｂモード）へ移行する場合、設定変更された時点で、Ａモードである「お出迎えモード」をキャンセルして、Ｂモードへ移行し、例えば照明負荷１を消灯させる。同時に例えばＬＥＤ７を点滅させる設定変更モードＣの制御を５秒程度行なう。
（実施形態６）
本実施形態では、Ａモード中に操作部４の可変抵抗器の操作によって制御部６へ入力する電圧（電流）信号のレベルがしきい値を越えたとき、図１０に示すようにその時点で設定変更モードＣによる変更報知を行なう。このときＡモードは継続され、所定時間経過時点で終了し、この終了時点からＢモードへ移行する。一方設定変更モードＣはＡモードからＢモードにかけて一定時間設定されるため、Ｂモードヘ移行後も所定時間継続する。例えば、図１に示すように照度センサ部３の検出する照度が点灯開始照度設定値以下になった場合に照明負荷１を点灯させるような動作モードにおいて、点灯開始照度設定値を変更した場合、即時に変更に対応させるのではなく上記の設定変更モードＣの動作中において、制御部６は周囲照度値の入力・判定を行ない、この間は照明負荷１を通常の点灯動作を行なわせる。
【００３５】
（実施形態７）
実施形態１乃至３は、操作部４として可変抵抗器を用いてその回転操作位置に対応した連続的な電圧値で所定値を判断していたが、本実施形態では、例えば、レベル１を０．０Ｖ、レベル２を０．２Ｖ、レベル３を０．５Ｖ、レベル４を０．７５Ｖ、レベル５を０．９Ｖというように設定した場合、上述の各実施形態と同様な動作を行なうものとする。
【００３６】
つまり本実施形態では図１と同様な回路構成を用いるが、操作部４にはタクトスイッチのような操作状態が分かりにくいスイッチの操作で上記レベル１〜５を選択操作できるようにするような場合に適用できる。勿論可変抵抗器で操作部４を構成しても良い。
尚実施形態１で点灯保時間設定についても操作部４の可変抵抗器によって設定変更できることを説明しているが、この場合例えばレベル１（保持時間５秒）からレベル２（保持時間３０秒）に変化した時に値が変更されたことを報知するだけでなく、５秒若しくは３０秒という値を制御部６に設定する動作も伴うのは言うまでもない。また同様に点灯開始照度設定ついても同様で、設定が変更したことを報知するだけでなく、変更された値が設定できるものとする。
【００３７】
その変更された設定値は、報知をおこなっている間（設定変更モード中）に制御部６に入力されてもよいし、報知が完了した時点（設定変更モード完了後）に制御部６に入力されてもよい。
また夫々の設定値変更用に可変抵抗器を操作部４に備えてもよい。
【００３８】
【発明の効果】
本発明は、上述のように構成してあるので、操作部の操作に伴って設定値変更があった場合に、報知手段により報知することができ、そのため変更時に照明負荷等に即時変化が現れない設定値変更であっても、ユーザーに設定値変更が受け付けられたことを認識させることができ、ユーザーに安心感を与えるいう効果がある。
【図面の簡単な説明】
【図１】本発明の実施形態１の回路構成図である。
【図２】同上の操作部の出力信号の説明図である。
【図３】同上の動作説明用タイミングチャートである。
【図４】本発明の実施形態２の操作部の出力信号の説明図である。
【図５】同上の動作説明用タイミングチャートである。
【図６】本発明の実施形態２の操作部の出力信号の説明図である。
【図７】本実施形態３の動作説明用タイミングチャートである。
【図８】本実施形態４の動作説明用タイミングチャートである。
【図９】本実施形態５の動作説明用タイミングチャートである。
【図１０】本実施形態６の動作説明用タイミングチャートである。
【符号の説明】
１  照明負荷
２  人感センサ
３  照度センサ部
４  操作部
５  負荷制御部
６  制御部
６０  タイマ回路
７  ＬＥＤ
【図１】
0003932643.tif 000002
【図２】
0003932643.tif 000003
【図３】
0003932643.tif 000004
【図４】
0003932643.tif 000005
【図５】
0003932643.tif 000006
【図６】
0003932643.tif 000007
【図７】
0003932643.tif 000008
【図８】
0003932643.tif 000009
【図９】
0003932643.tif 000010
【図１０】
0003932643.tif 000011